【手続補正書】
【提出日】平成17年8月8日(2005.8.8)
【手続補正１】
【補正対象書類名】明細書
【補正対象項目名】特許請求の範囲
【補正方法】変更
【補正の内容】
【特許請求の範囲】
【請求項１】
第１電極と第２電極が交差する部位に発光体を含む薄膜が挟まれた発光素子を、マトリクス状に配列させた表示装置であって、
前記第１電極が第一主表面上に形成され、該第１電極の一部を露出せしめ、前記第２電極と平行な方向に配設される電気絶縁性の隔壁を有し、
前記隔壁の断面形状は、前記第１電極と接する下端部から、上端部にかけて、開口が広がる傾斜面を有し、且つ、該傾斜面は曲面形状を有し、前記発光体を含む薄膜は、該曲面形状に沿って形成されていることを特徴とする表示装置。
【請求項２】
第１電極と第２電極が交差する部位に発光体を含む薄膜が挟まれた発光素子を、マトリクス状に配列させた表示装置であって、
前記第１電極が第一主表面上に形成され、該第１電極の一部を露出せしめ、前記第２電極と平行な方向に配設される電気絶縁性の隔壁を有し、
前記隔壁の断面形状は、前記第１電極と接する下端部から、上端部にかけて、開口が広がる傾斜面を有し、且つ、該傾斜面は曲面形状を有し、前記発光体を含む薄膜は、該曲面形状に沿って形成され、
前記隔壁と前記発光体を含む薄膜との間には、バリア性の絶縁膜が形成されていることを特徴とする表示装置。
【請求項３】
請求項１又は２において、前記曲面形状は、前記隔壁又はその下層側に中心がある少なくとも一つの曲率半径を有することを特徴とする表示装置。
【請求項４】
請求項１又は２において、前記曲面形状は、前記第１電極と接する下端部で、前記隔壁の外側に中心がある少なくとも一つの第１の曲率半径と、前記隔壁の上端部で、前記隔壁又はその下層側に中心がある少なくとも一つの第２の曲率半径とを有することを特徴とする表示装置。
【請求項５】
請求項１又は２において、前記隔壁は、感光性のポジ型有機樹脂材料で形成されていることを特徴とする表示装置。
【請求項６】
請求項１又は２において、前記隔壁は、感光性のネガ型有機樹脂材料で形成されていることを特徴とする表示装置。
【請求項７】
請求項１乃至６のいずれか一項において、前記第２電極の上層には、バリア性の絶縁膜が形成されており、該バリア性の絶縁膜はマトリクス状に配列した前記発光素子を覆っていることを特徴とする表示装置。
【請求項８】
請求項２又は７において、前記バリア性の絶縁膜は、シリコンをターゲットとして、窒素、又は窒素とアルゴンをスパッタガスとして高周波スパッタリング法で形成される窒化シリコン膜であることを特徴とする表示装置。
【請求項９】
第１電極と第２電極が交差する部位に発光体を含む薄膜が挟まれた発光性の画素を、マトリクス状に配列させた表示装置であって、
前記発光性の画素に対応して、顔料及び染料を含む着色層が配設され、
前記発光体を含む薄膜は、発光色が異なる複数の発光体を含み、該発光体の少なくとも一つは三重項励起発光材料を含み、
前記第１電極が第一主表面上に形成され、該第１電極の一部を露出せしめ、前記第２電極と平行な方向に配設される電気絶縁性の隔壁を有し、
前記隔壁の断面形状は、前記第１電極と接する下端部から、上端部にかけて、開口が広がる傾斜面を有し、且つ、該傾斜面は曲面形状を有し、前記発光体を含む薄膜は、該曲面形状に沿って形成されていることを特徴とする表示装置。
【請求項１０】
第１電極と第２電極が交差する部位に発光体を含む薄膜が挟まれた発光性の画素を、マトリクス状に配列させた表示装置であって、
前記発光性の画素に対応して、顔料又は染料を含む着色層が配設され、
前記発光体を含む薄膜は、発光色が異なる複数の発光体を含み、該発光体の少なくとも一つは三重項励起発光材料を含み、
前記第１電極が第一主表面上に形成され、該第１電極の一部を露出せしめ、前記第２電極と平行な方向に配設される電気絶縁性の隔壁を有し、
前記隔壁の断面形状は、前記第１電極と接する下端部から、上端部にかけて、開口が広がる傾斜面を有し、且つ、該傾斜面は曲面形状を有し、前記発光体を含む薄膜は、該曲面形状に沿って形成されていることを特徴とする表示装置。
【請求項１１】
第１電極と第２電極が交差する部位に発光体を含む薄膜が挟まれた発光素子を、マトリクス状に配列させた表示装置であって、
前記発光性の画素に対応して、顔料及び染料を含む着色層が配設され、
前記発光体を含む薄膜は、発光色が異なる複数の発光体を含み、該発光体の少なくとも一つは三重項励起発光材料を含み、
前記第１電極が第一主表面上に形成され、該第１電極の一部を露出せしめ、前記第２電極と平行な方向に配設される電気絶縁性の隔壁を有し、
前記隔壁の断面形状は、前記第１電極と接する下端部から、上端部にかけて、開口が広がる傾斜面を有し、且つ、該傾斜面は曲面形状を有し、前記発光体を含む薄膜は、該曲面形状に沿って形成され、
前記隔壁と前記発光体を含む薄膜との間には、バリア性の絶縁膜が形成されていることを特徴とする表示装置。
【請求項１２】
第１電極と第２電極が交差する部位に発光体を含む薄膜が挟まれた発光素子を、マトリクス状に配列させた表示装置であって、
前記発光性の画素に対応して、顔料又は染料を含む着色層が配設され、
前記発光体を含む薄膜は、発光色が異なる複数の発光体を含み、該発光体の少なくとも一つは三重項励起発光材料を含み、
前記第１電極が第一主表面上に形成され、該第１電極の一部を露出せしめ、前記第２電極と平行な方向に配設される電気絶縁性の隔壁を有し、
前記隔壁の断面形状は、前記第１電極と接する下端部から、上端部にかけて、開口が広がる傾斜面を有し、且つ、該傾斜面は曲面形状を有し、前記発光体を含む薄膜は、該曲面形状に沿って形成され、
前記隔壁と前記発光体を含む薄膜との間には、バリア性の絶縁膜が形成されていることを特徴とする表示装置。
【請求項１３】
請求項９乃至１２のいずれか一において、前記曲面形状は、前記隔壁又はその下層側に中心がある少なくとも一つの曲率半径を有することを特徴とする表示装置。
【請求項１４】
請求項９乃至１２のいずれか一において、前記曲面形状は、前記第１電極と接する下端部で、前記隔壁の外側に中心がある少なくとも一つの第１の曲率半径と、前記隔壁の上端部で、前記隔壁又はその下層側に中心がある少なくとも一つの第２の曲率半径と、を有することを特徴とする表示装置。
【請求項１５】
請求項９乃至１２のいずれか一において、前記隔壁は、感光性のポジ型有機樹脂材料で形成されていることを特徴とする表示装置。
【請求項１６】
請求項９乃至１２のいずれか一において、前記隔壁は、感光性のネガ型有機樹脂材料で形成されていることを特徴とする表示装置。
【請求項１７】
請求項９乃至１２のいずれか一において、前記発光体を含む薄膜は、赤色に発光する発光体と、緑色に発光する発光体と、青色に発光する発光体を含み、前記赤色に発光する発光体は、三重項励起発光材料又は一重項励起発光材料であり、前記緑色に発光する発光体は、三重項励起発光材料であり、前記青色に発光する発光体は、一重項励起発光材料であることを特徴とする表示装置。
【請求項１８】
請求項９乃至１７のいずれか一項において、前記第２電極の上層には、バリア性の絶縁膜が形成されており、該バリア性の絶縁膜はマトリクス状に配列した前記発光素子を覆っていることを特徴とする表示装置。
【請求項１９】
請求項１１、１２又は１８において、前記バリア性の絶縁膜は、シリコンをターゲットとして、窒素、又は窒素とアルゴンをスパッタガスとして高周波スパッタリング法で形成される窒化シリコン膜であることを特徴とする表示装置。
【請求項２０】
第１電極と第２電極が交差する部位に発光体を含む薄膜が挟まれて発光色が異なる複数の発光性の画素を、マトリクス状に配列させた表示装置であって、
前記複数の画素の少なくとも一つは、前記発光体を含む薄膜に、三重項励起発光材料を含み、
前記第１電極が第一主表面上に形成され、該第１電極の一部を露出せしめ、前記第２電極と平行な方向に配設される電気絶縁性の隔壁を有し、
前記隔壁の断面形状は、前記第１電極と接する下端部から、上端部にかけて、開口が広がる傾斜面を有し、且つ、該傾斜面は曲面形状を有し、前記発光体を含む薄膜は、該曲面形状に沿って形成されていることを特徴とする表示装置。
【請求項２１】
第１電極と第２電極が交差する部位に発光体を含む薄膜が挟まれて発光色が異なる複数の発光性の画素を、マトリクス状に配列させた表示装置であって、
前記複数の画素の少なくとも一つは、前記発光体を含む薄膜に、三重項励起発光材料を含み、
前記第１電極が第一主表面上に形成され、該第１電極の一部を露出せしめ、前記第２電極と平行な方向に配設される電気絶縁性の隔壁を有し、
前記隔壁の断面形状は、前記第１電極と接する下端部から、上端部にかけて、開口が広がる傾斜面を有し、且つ、該傾斜面は曲面形状を有し、前記発光体を含む薄膜は、該曲面形状に沿って形成され、
前記隔壁と前記発光体を含む薄膜との間には、バリア性の絶縁膜が形成されていることを特徴とする表示装置。
【請求項２２】
請求項２０又は２１において、前記曲面形状は、前記隔壁又はその下層側に中心がある少なくとも一つの曲率半径を有することを特徴とする表示装置。
【請求項２３】
請求項２０又は２１において、前記曲面形状は、前記第１電極と接する下端部で、前記隔壁の外側に中心がある少なくとも一つの第１の曲率半径と、
前記隔壁の上端部で、前記隔壁又はその下層側に中心がある少なくとも一つの第２の曲率半径とを有することを特徴とする表示装置。
【請求項２４】
請求項２０又は２１において、前記隔壁は、感光性のポジ型有機樹脂材料で形成されていることを特徴とする表示装置。
【請求項２５】
請求項２０又は２１において、前記隔壁は、感光性のネガ型有機樹脂材料で形成されていることを特徴とする表示装置。
【請求項２６】
請求項２０又は２１において、前記発光色が異なる複数の発光性の画素は、発光体を含む薄膜は、赤色の発光性の画素と、緑色の発光性の画素と、青色の発光性の画素を含み、前記赤色の発光性の画素は、三重項励起発光材料又は一重項励起発光材料であり、前記緑色の発光性の画素は、三重項励起発光材料であり、前記青色の発光性の画素は、一重項励起発光材料であることを特徴とする表示装置。
【請求項２７】
請求項２０乃至２６のいずれか一項において、前記第２電極の上層には、バリア性の絶縁膜が形成されており、該バリア性の絶縁膜はマトリクス状に配列した前記発光素子を覆っていることを特徴とする表示装置。
【請求項２８】
請求項２１又は２７において、前記バリア性の絶縁膜は、シリコンをターゲットとして、窒素、又は窒素とアルゴンをスパッタガスとして高周波スパッタリング法で形成される窒化シリコン膜であることを特徴とする表示装置。